(57)【特許請求の範囲】
【請求項１】
第１の解像度の放送データをＯＦＤＭ（Orthogonal Frequency Division Multiplexing）変調波として１以上の送信装置から出力するために、入力された前記第１の解像度の放送データについて再多重処理を行い、当該再多重処理により生成された第１の伝送データを第１の回線を介して前記送信装置に出力する第１の再多重部と、
第２の解像度の放送データを前記第１の解像度の放送データとともに前記ＯＦＤＭ変調波として前記送信装置から出力するために、入力された前記第２の解像度の放送データについて再多重処理を行い、当該再多重処理により生成された第２の伝送データを第２の回線を介して前記送信装置に出力する第２の再多重部と、
を有し、
前記第２の再多重部は、前記第１の再多重部で設定されたＯＦＤＭフレームの先頭パケットのタイミングに対応するタイミングで、前記第１の回線と前記第２の回線の遅延時間の差を補償するための制御情報を含むパケットである遅延制御パケットを挿入し、
前記第２の再多重部は、前記送信装置において前記遅延制御パケットが受信された時点から前記遅延制御パケットに続くパケットに対する変調処理を開始するまでの待機時間の指標値を、前記制御情報として生成する
再多重装置。
【請求項２】
前記第１の再多重部は、ＯＦＤＭフレームの周期毎に、所定のパラメータのパラメータ値を前記第１の解像度の放送データに多重して前記第１の伝送データを生成し、
前記第２の再多重部は、前記制御情報としてさらに前記パラメータ値を含む前記遅延制御パケットを挿入する
請求項１に記載の再多重装置。
【請求項３】
前記所定のパラメータは、ＡＲＩＢ  ＳＴＤ―Ｂ３１で規定されているＴＭＣＣ＿ｓｙｎｃｈｒｏｎｉｚａｔｉｏｎ＿ｗｏｒｄである
請求項２に記載の再多重装置。
【請求項４】
前記所定のパラメータは、ＭＰＥＧ−２トランスポートストリームで用いられているｃｏｎｔｉｎｕｉｔｙ＿ｃｏｕｎｔｅｒである
請求項２又は３に記載の再多重装置。
【請求項５】
前記第１の回線は、マイクロ波回線であり、
前記第２の回線は、ＩＰ（Internet Protocol）ネットワークである
請求項１乃至４のいずれか１項に記載の再多重装置。
【請求項６】
再多重装置と、
前記再多重装置から受信したデータをＯＦＤＭ変調波として出力する１以上の送信装置と、
を備え、
前記再多重装置は、
第１の解像度の放送データをＯＦＤＭ変調波として前記送信装置から出力するために、入力された前記第１の解像度の放送データについて再多重処理を行い、当該再多重処理により生成された第１の伝送データを第１の回線を介して前記送信装置に出力する第１の再多重部と、
第２の解像度の放送データを前記第１の解像度の放送データとともに前記ＯＦＤＭ変調波として前記送信装置から出力するために、入力された前記第２の解像度の放送データについて再多重処理を行い、当該再多重処理により生成された第２の伝送データを第２の回線を介して前記送信装置に出力する第２の再多重部と、
を有し、
前記第２の再多重部は、前記第１の再多重部で設定されたＯＦＤＭフレームの先頭パケットのタイミングに対応するタイミングで、前記第１の回線と前記第２の回線の遅延時間の差を補償するための制御情報を含むパケットである遅延制御パケットを挿入し、
前記第２の再多重部は、前記送信装置において前記遅延制御パケットが受信された時点から前記遅延制御パケットに続くパケットに対する変調処理を開始するまでの待機時間の指標値を、前記制御情報として生成し、
前記送信装置は、
前記制御情報に基づいて、前記遅延制御パケットに続くパケットに対する変調処理を開始するタイミングを調整する遅延補正部と、
前記第１の解像度の放送データと前記第２の解像度の放送データとを変調して、ＯＦＤＭ変調波として出力する変調処理部と
を有する
放送システム。
【請求項７】
前記第１の再多重部は、ＯＦＤＭフレームの周期毎に、所定のパラメータのパラメータ値を前記第１の解像度の放送データに多重して前記第１の伝送データを生成し、
前記第２の再多重部は、前記制御情報としてさらに前記パラメータ値を含む前記遅延制御パケットを挿入する
請求項６に記載の放送システム。
【請求項８】
第１の解像度の放送データをＯＦＤＭ変調波として１以上の送信装置から出力するために、入力された前記第１の解像度の放送データについて再多重処理を行い、当該再多重処理により生成された第１の伝送データを第１の回線を介して前記送信装置に出力し、
第２の解像度の放送データを前記第１の解像度の放送データとともに前記ＯＦＤＭ変調波として前記送信装置から出力するために、入力された前記第２の解像度の放送データについて再多重処理を行い、当該再多重処理により生成された第２の伝送データを第２の回線を介して前記送信装置に出力し、
前記第２の解像度の放送データについての再多重処理では、
前記第１の回線と前記第２の回線の遅延時間の差を補償するための制御情報を含むパケットである遅延制御パケットを生成し、
前記第１の解像度の放送データについての再多重処理で設定されたＯＦＤＭフレームの先頭パケットのタイミングに対応するタイミングで、前記遅延制御パケットを挿入し、
前記遅延制御パケットの生成では、前記送信装置において前記遅延制御パケットが受信された時点から前記遅延制御パケットに続くパケットに対する変調処理を開始するまでの待機時間の指標値を、前記制御情報として生成する
再多重方法。
【請求項９】
第１の解像度の放送データをＯＦＤＭ変調波として１以上の送信装置から出力するために、入力された前記第１の解像度の放送データについて再多重処理を行い、当該再多重処理により生成された第１の伝送データを第１の回線を介して前記送信装置に出力する第１の再多重ステップと、
第２の解像度の放送データを前記第１の解像度の放送データとともに前記ＯＦＤＭ変調波として前記送信装置から出力するために、入力された前記第２の解像度の放送データについて再多重処理を行い、当該再多重処理により生成された第２の伝送データを第２の回線を介して前記送信装置に出力する第２の再多重ステップと、
をコンピュータに実行させ、
前記第２の再多重ステップでは、前記第１の再多重ステップで設定されたＯＦＤＭフレームの先頭パケットのタイミングに対応するタイミングで、前記第１の回線と前記第２の回線の遅延時間の差を補償するための制御情報を含むパケットである遅延制御パケットを挿入し、
前記第２の再多重ステップでは、前記送信装置において前記遅延制御パケットが受信された時点から前記遅延制御パケットに続くパケットに対する変調処理を開始するまでの待機時間の指標値を、前記制御情報として生成する
プログラム。
【発明の詳細な説明】
【技術分野】
【０００１】
本発明は再多重装置、放送システム、再多重方法、及びプログラムに関する。
【背景技術】
【０００２】
２Ｋ放送の規格であるＡＲＩＢ  ＳＴＤ−Ｂ３１では、ＳＦＮ（Single Frequency Network）の同期方法として、概して、従属同期とリファレンス同期が示されているが、実際に運用されているものは、ほぼ、従属同期である。
【０００３】
ところで、日本では、４Ｋ放送に関して、衛星での４Ｋ放送が先行で商業化された。この放送において、演奏所から送信所へのデータの伝送には、２Ｋ放送で用いられていた回線とは別の種類の回線が用いられている。具体的には、ＭＰＥＧ−２  ＴＳ（Transport Stream）を伝送する既存の回線ではなく、ＩＰ（Internet Protocol）ネットワークが用いられている。ＴＳを伝送する既存の回線は、伝送による遅延時間が固定であるが、ＩＰネットワークでは、転送経路の変動又は負荷の変動などによって、伝送による遅延時間が一定量変動する。このため、演奏所から送信所へと、既存の２Ｋ放送用の伝送路で２Ｋ放送用のデータを伝送しつつ、４Ｋ放送用のデータをＩＰネットワークで伝送する場合、固定遅延を利用した既存の従属同期により、ＳＦＮの同期を実現できない。
【０００４】
関連する技術として、特許文献１に開示された技術が知られている。この文献では、フレーム先頭タイミングを絶対基準時刻（ＮＴＰ（Network Time Protocol）情報など）を用いて特定することで、出力タイミングを決定している。
【先行技術文献】
【特許文献】
【０００５】
【特許文献１】特開２０１８−１９１１４９号公報
【発明の概要】
【発明が解決しようとする課題】
【０００６】
特許文献１に記載された同期方法は、絶対基準時刻を用いたリファレンス同期であり、従属同期を行う既存のシステムに適用するのは容易ではない。
【０００７】
本開示はこのような問題点を解決するためになされたものであり、第１の解像度の放送データと第２の解像度の放送データとを放送する場合の出力の同期を実現することができる再多重装置、放送システム、再多重方法、及びプログラムを提供することを目的とする。
【課題を解決するための手段】
【０００８】
本開示の第１の態様にかかる再多重装置は、
第１の解像度の放送データをＯＦＤＭ（Orthogonal Frequency Division Multiplexing）変調波として１以上の送信装置から出力するために、入力された前記第１の解像度の放送データについて再多重処理を行い、当該再多重処理により生成された第１の伝送データを第１の回線を介して前記送信装置に出力する第１の再多重部と、
第２の解像度の放送データを前記第１の解像度の放送データとともに前記ＯＦＤＭ変調波として前記送信装置から出力するために、入力された前記第２の解像度の放送データについて再多重処理を行い、当該再多重処理により生成された第２の伝送データを第２の回線を介して前記送信装置に出力する第２の再多重部と、
を有し、
前記第２の再多重部は、前記第１の再多重部で設定されたＯＦＤＭフレームの先頭パケットのタイミングに対応するタイミングで、前記第１の回線と前記第２の回線の遅延時間の差を補償するための制御情報を含むパケットである遅延制御パケットを挿入し、
前記第２の再多重部は、前記送信装置において前記遅延制御パケットが受信された時点から前記遅延制御パケットに続くパケットに対する変調処理を開始するまでの待機時間の指標値を、前記制御情報として生成する。
【０００９】
本開示の第２の態様にかかる放送システムは、
再多重装置と、
前記再多重装置から受信したデータをＯＦＤＭ変調波として出力する１以上の送信装置と、
を備え、
前記再多重装置は、
第１の解像度の放送データをＯＦＤＭ変調波として前記送信装置から出力するために、入力された前記第１の解像度の放送データについて再多重処理を行い、当該再多重処理により生成された第１の伝送データを第１の回線を介して前記送信装置に出力する第１の再多重部と、
第２の解像度の放送データを前記第１の解像度の放送データとともに前記ＯＦＤＭ変調波として前記送信装置から出力するために、入力された前記第２の解像度の放送データについて再多重処理を行い、当該再多重処理により生成された第２の伝送データを第２の回線を介して前記送信装置に出力する第２の再多重部と、
を有し、
前記第２の再多重部は、前記第１の再多重部で設定されたＯＦＤＭフレームの先頭パケットのタイミングに対応するタイミングで、前記第１の回線と前記第２の回線の遅延時間の差を補償するための制御情報を含むパケットである遅延制御パケットを挿入し、
前記第２の再多重部は、前記送信装置において前記遅延制御パケットが受信された時点から前記遅延制御パケットに続くパケットに対する変調処理を開始するまでの待機時間の指標値を、前記制御情報として生成し、
前記送信装置は、
前記制御情報に基づいて、前記遅延制御パケットに続くパケットに対する変調処理を開始するタイミングを調整する遅延補正部と、
前記第１の解像度の放送データと前記第２の解像度の放送データとを変調して、ＯＦＤＭ変調波として出力する変調処理部と
を有する。
【００１０】
本開示の第３の態様にかかる再多重方法では、
第１の解像度の放送データをＯＦＤＭ変調波として１以上の送信装置から出力するために、入力された前記第１の解像度の放送データについて再多重処理を行い、当該再多重処理により生成された第１の伝送データを第１の回線を介して前記送信装置に出力し、
第２の解像度の放送データを前記第１の解像度の放送データとともに前記ＯＦＤＭ変調波として前記送信装置から出力するために、入力された前記第２の解像度の放送データについて再多重処理を行い、当該再多重処理により生成された第２の伝送データを第２の回線を介して前記送信装置に出力し、
前記第２の解像度の放送データについての再多重処理では、
前記第１の回線と前記第２の回線の遅延時間の差を補償するための制御情報を含むパケットである遅延制御パケットを生成し、
前記第１の解像度の放送データについての再多重処理で設定されたＯＦＤＭフレームの先頭パケットのタイミングに対応するタイミングで、前記遅延制御パケットを挿入し、
前記遅延制御パケットの生成では、前記送信装置において前記遅延制御パケットが受信された時点から前記遅延制御パケットに続くパケットに対する変調処理を開始するまでの待機時間の指標値を、前記制御情報として生成する。
【００１１】
本開示の第４の態様にかかるプログラムは、
第１の解像度の放送データをＯＦＤＭ変調波として１以上の送信装置から出力するために、入力された前記第１の解像度の放送データについて再多重処理を行い、当該再多重処理により生成された第１の伝送データを第１の回線を介して前記送信装置に出力する第１の再多重ステップと、
第２の解像度の放送データを前記第１の解像度の放送データとともに前記ＯＦＤＭ変調波として前記送信装置から出力するために、入力された前記第２の解像度の放送データについて再多重処理を行い、当該再多重処理により生成された第２の伝送データを第２の回線を介して前記送信装置に出力する第２の再多重ステップと、
をコンピュータに実行させ、
前記第２の再多重ステップでは、前記第１の再多重ステップで設定されたＯＦＤＭフレームの先頭パケットのタイミングに対応するタイミングで、前記第１の回線と前記第２の回線の遅延時間の差を補償するための制御情報を含むパケットである遅延制御パケットを挿入し、
前記第２の再多重ステップでは、前記送信装置において前記遅延制御パケットが受信された時点から前記遅延制御パケットに続くパケットに対する変調処理を開始するまでの待機時間の指標値を、前記制御情報として生成する。
【発明の効果】
【００１２】
本開示によれば、第１の解像度の放送データと第２の解像度の放送データとを放送する場合の出力の同期を実現することができる再多重装置、放送システム、再多重方法、及びプログラムを提供できる。
【図面の簡単な説明】
【００１３】
【図１】実施の形態１にかかる放送システムの構成の一例を示す模式図である。
【図２】実施の形態１にかかる再多重装置の構成の一例を示すブロック図である。
【図３Ａ】変調部の構成の一例を示すブロック図である。
【図３Ｂ】変調部の構成の一例を示すブロック図である。
【図３Ｃ】変調部の構成の一例を示すブロック図である。
【図４】実施の形態２にかかる放送システムの構成を示すブロック図である。
【図５】実施の形態で説明した処理を行うコンピュータの構成の一例を示すブロック図である。
【発明を実施するための形態】
【００１４】
以下、図面を参照して本発明の実施の形態について説明する。
＜実施の形態１＞
図１は、実施の形態１にかかる放送システム１０の構成の一例を示す模式図である。図１に示すように、放送システム１０は、再多重装置２０と１以上の送信装置３０とを備えている。例えば、再多重装置２０は、演奏所に設置された装置であり、送信装置３０は、送信所に設置された装置である。放送システム１０において、再多重装置２０から送信装置３０へと放送データが送信され、送信装置３０は、放送波を出力する。ここで、放送システム１０は、単一周波数ネットワーク（ＳＦＮ）により、放送を行うシステムである。すなわち、１以上の送信装置３０は、同じ周波数帯を用いて、放送波を出力する。また、本実施の形態では、放送システム１０は、２Ｋ放送のための信号と４Ｋ放送のための信号を、同じ周波数帯を用いて送信装置３０から出力する。放送システム１０は、ＧＰＳ（Global Positioning System）のＰＰＳ（Pulse Per Second）信号などのような基準信号を用いることなく、ＳＦＮの同期を実現する。すなわち、放送システム１０は、リファレンス同期ではなく、従属同期を行う放送システムである。
【００１５】
なお、２Ｋとは、画面解像度がフルハイビジョンである映像の総称である。すなわち、２Ｋとは、横２０００程度×縦１０００程度となるような映像の総称である。例えば、２Ｋの画面解像度とは、横２０４８×縦１０８０や、横１９２０×縦１０８０、横２０４８×縦１１５２、横２５６０×縦１６００、横１４４０×縦１０８０等である。また、４Ｋとは、画面解像度がフルハイビジョンの４倍である映像の総称である。すなわち、４Ｋとは、画面解像度が横４０００程度×縦２０００程度となるような映像の総称である。例えば、４Ｋの画面解像度とは、横４０９６×縦２１６０や、横３８４０×縦２１６０、横４０９６×縦２３０４、横４０９６×縦２０４８等である。
【００１６】
再多重装置２０には、２Ｋ放送用の放送データと、この２Ｋ放送用の放送データと同時に同じ周波数帯を用いて送信装置３０から送信されることとなる４Ｋ放送用の放送データが入力される。これらの放送データは、例えば、再多重装置２０を備えた演奏所に設けられた他の装置から光回線又は同軸ケーブルなどを介して、再多重装置２０に入力される。再多重装置２０は、これらの放送データに対して、後述する再多重処理を行ない、再多重処理が行われたデータを各送信装置３０に出力する。
【００１７】
各送信装置３０は、再多重装置２０から受信したデータに対して、変調部３００によりＯＦＤＭ変調を行ない、受信したデータをＯＦＤＭ変調波として出力する。ここで、各送信装置３０は、変調処理の開始タイミングを調整することにより、各送信装置３０からの出力タイミングを同期させる。すなわち、各送信装置３０は、ＳＦＮの同期を実現する。本実施の形態では、２Ｋ放送のための信号と４Ｋ放送のための信号をＯＦＤＭ変調波として同時に出力するため、複数の送信装置３０間での出力タイミングの同期に加え、２Ｋ放送用のデータと４Ｋ放送用のデータの変調処理の開始タイミングを調整する必要がある。このために、再多重装置２０は、再多重装置２０から送信装置３０に送信するパケット列に、このタイミングを制御するためのパケット（以下、タイミングパケット若しくは遅延制御パケットとも称す）を挿入する。
【００１８】
放送システム１０において、２Ｋ放送用のデータと、４Ｋ放送用のデータは、それぞれ別の回線で再多重装置２０から各送信装置３０に伝送される。本実施の形態では、２Ｋ放送用のデータは、１対１のマイクロ波回線４０ａで送信され、４Ｋ放送用のデータは、ＩＰネットワーク４０ｂで伝送される。図１において、２Ｋ放送用のデータの伝送路が実線で示され、４Ｋ放送用のデータの伝送路が破線で示されている。なお、一例として、２Ｋ放送用のデータは、再多重装置２０から送信装置３０へ無線送信され、４Ｋ放送用のデータは、再多重装置２０から送信装置３０へ有線送信されるが、これらの伝送が無線又は有線に限られなくてもよい。また、マイクロ波回線４０ａによる再多重装置２０から送信装置３０への伝送は、中継装置（不図示）を介して行われてもよい。
【００１９】
ここで、マイクロ波回線４０ａによる伝送では、伝送路における遅延時間は一定である。すなわち、再多重装置２０から、ある送信装置３０への伝送の遅延時間は遅延時間Ａで一定であり、再多重装置２０から、別の送信装置３０への伝送の遅延時間は遅延時間Ｂで一定である。なお、一般的に、遅延時間Ａと遅延時間Ｂは異なる。これに対し、ＩＰネットワーク４０ｂでは、再多重装置２０からある送信装置３０への伝送の遅延時間は、一定の変動範囲内で変動する。また、一般的に、ＩＰネットワーク４０ｂにおける４Ｋ放送用データの伝送の遅延時間は、マイクロ波回線４０ａによる２Ｋ放送用データの伝送の遅延時間よりも、短い。
【００２０】
次に、再多重装置２０の構成について説明する。図２は、実施の形態１にかかる再多重装置２０の構成の一例を示すブロック図である。図２に示すように、再多重装置２０は、主に、２Ｋ再多重部２１０と、４Ｋ再多重部２２０と、パケット出力部２３０とを有する。２Ｋ再多重部２１０は、２Ｋ放送データをＯＦＤＭ変調波として１以上の送信装置３０から出力するために、入力された２Ｋ放送データについて再多重処理を行う。これにより、当該再多重処理により生成された第１の伝送データ（２Ｋ伝送データ）がマイクロ波回線４０ａを介して送信装置３０に出力される。また、４Ｋ再多重部２２０は、４Ｋ放送データを２Ｋ放送データとともにＯＦＤＭ変調波として送信装置３０から出力するために、入力された４Ｋ放送データについて再多重処理を行う。これにより、当該再多重処理により生成された第２の伝送データ（４Ｋ伝送データ）がＩＰネットワーク４０ｂを介して送信装置３０に出力される。
【００２１】
２Ｋ再多重部２１０には、２Ｋ放送用のデータが入力される。このデータは、ＭＰＥＧ−２で規格化されているＴＳパケットである。同様に、４Ｋ再多重部２２０には、４Ｋ放送用のデータが入力される。このデータは、例えば、ＴＳパケットであるが、ＴＬＶ（Type Length Value）パケットであってもよい。２Ｋ再多重部２１０及び４Ｋ再多重部２２０に入力されるデータは、例えば、映像及び音声などが多重化されたデータである。
【００２２】
２Ｋ再多重部２１０は、公知の再多重処理を行う処理部である。２Ｋ再多重部２１０は、送信装置３０において、２Ｋ放送用データに対して行われる一次変調の変調パラメータ（例えば、多値度、符号化率など）の所定のパラメータ値に基づいて、送信装置３０に入力するデータレートを決定する。そして、２Ｋ再多重部２１０は、決定したデータレートで２Ｋ再多重部２１０から放送データを出力するよう、ヌル（Ｎｕｌｌ）データが格納されたパケットであるヌル（Ｎｕｌｌ）パケットを、２Ｋ再多重部２１０に入力されるデータに対して挿入する。すなわち、２Ｋ再多重部２１０は、変調パラメータに基づいて特定される所定のデータレートで、トランスポートストリーム（ＴＳ）を出力する。
【００２３】
また、２Ｋ再多重部２１０は、映像及び音声などのデータを含むトランスポートストリームの他に、処理クロック（ＣＬＫ）と、フレーム同期信号（Ｆｓｙｎｃ）を送信装置３０に出力する。これらは、マイクロ波回線４０ａを介して、送信装置３０で受信される。なお、２Ｋ再多重部２１０によるＴＳ、ＣＬＫ、Ｆｓｙｎｃの出力については、公知の技術であるため、その詳細な説明については省略する。処理クロック（ＣＬＫ）は、再多重装置２０の処理において用いられたクロックと同じであり、送信装置３０は、再多重装置２０から受信した処理クロックに従って、処理を行うこととなる。また、フレーム同期信号（Ｆｓｙｎｃ）は、ＯＦＤＭフレームの周期（ＯＦＤＭフレームのフレーム長）と同期した信号であり、１つのＯＦＤＭフレームを構成することとなるデータ群（パケット群）の開始を示す信号である。なお、ＯＦＤＭフレームの周期は、ＯＦＤＭ変調の変調パラメータ（モード及びガードインターバル）によって、一意に特定される。このように、２Ｋ再多重部２１０は、送信装置３０で構成されこととなる各ＯＦＤＭフレームの先頭パケットのタイミングを設定しているとも言える。
【００２４】
また、２Ｋ再多重部２１０は、公知の再多重部と同様、ＴＳに、ＴＭＣＣ（Transmission and Multiplexing Configuration Control）情報などを含むＩＩＰ（ISDB-T Information Packet）を多重する。より詳細には、２Ｋ再多重部２１０は、フレーム同期信号（Ｆｓｙｎｃ）の１周期ごとに、すなわち、ＯＦＤＭフレームの１周期ごとに、ＴＳに、ＩＩＰを多重する。ＴＭＣＣ情報は、送信装置３０における変調を規定する変調パラメータなどのパラメータを含む情報である。ここで、２Ｋ再多重部２１０により多重されるＴＭＣＣ情報は、ＡＲＩＢ  ＳＴＤ―Ｂ３１で規定されているＴＭＣＣ＿ｓｙｎｃｈｒｏｎｉｚａｔｉｏｎ＿ｗｏｒｄを含む。ＴＭＣＣ＿ｓｙｎｃｈｒｏｎｉｚａｔｉｏｎ＿ｗｏｒｄの値には、第１の値Ｗ０か第２の値Ｗ１のいずれかの値が設定される。２Ｋ再多重部２１０は、フレーム同期信号（Ｆｓｙｎｃ）の１周期ごとに、すなわち、ＯＦＤＭフレームの１周期ごとに、ＴＭＣＣ＿ｓｙｎｃｈｒｏｎｉｚａｔｉｏｎ＿ｗｏｒｄの値を切り替えて、ＴＳに多重する。このため、２Ｋ再多重部２１０は、フレーム同期信号（Ｆｓｙｎｃ）の１周期ごとに、第１の値Ｗ０と第２の値Ｗ１を交互に出力する。このように、パラメータＴＭＣＣ＿ｓｙｎｃｈｒｏｎｉｚａｔｉｏｎ＿ｗｏｒｄは、当該パラメータが多重されているデータ群により構成されるＯＦＤＭフレームが奇数番目のフレームであるか偶数番目のフレームであるかを示す情報ともいうことができる。または、当該パラメータが多重されているデータ群（パケット群）が奇数番目のデータ群であるか偶数番目のデータ群であるかを示す情報ともいうことができる。
【００２５】
また、ＩＩＰパケットには、ＭＰＥＧ−２トランスポートストリームで用いられているｃｏｎｔｉｎｕｉｔｙ＿ｃｏｕｎｔｅｒが含まれる。したがって、２Ｋ再多重部２１０は、フレーム同期信号（Ｆｓｙｎｃ）の１周期ごとに、すなわち、ＯＦＤＭフレームの１周期ごとに、ｃｏｎｔｉｎｕｉｔｙ＿ｃｏｕｎｔｅｒの値を、ＴＳに多重して出力する。ｃｏｎｔｉｎｕｉｔｙ＿ｃｏｕｎｔｅｒは、伝送されるＴＳパケットを順番にカウントするパラメータであり、ＴＳパケットに含まれているパラメータである。ＩＩＰパケットには、当該ＩＩＰパケットが多重されるＴＳパケット群のうちの例えば先頭のＴＳパケットのｃｏｎｔｉｎｕｉｔｙ＿ｃｏｕｎｔｅｒの値が格納される。フレーム同期信号（Ｆｓｙｎｃ）の１周期ごとに２Ｋ再多重部２１０が出力するＩＩＰパケットに含まれるｃｏｎｔｉｎｕｉｔｙ＿ｃｏｕｎｔｅｒの値は、フレーム同期信号（Ｆｓｙｎｃ）の１周期ごとに変動することとなる。
【００２６】
このように、２Ｋ再多重部２１０は、ＯＦＤＭフレームの周期毎に、所定のパラメータのパラメータ値を２Ｋ放送データに多重してトランスポートストリームを生成する。
【００２７】
次に、４Ｋ再多重部２２０について説明する。図２に示すように、４Ｋ再多重部２２０は、レート調整部２２１とタイミングパケット挿入部２２２とを有する。
【００２８】
レート調整部２２１は、送信装置３０において２Ｋ放送用データに対して行われる一次変調の変調パラメータの所定のパラメータ値と、４Ｋ放送用データに対して行われる一次変調の変調パラメータの所定のパラメータ値とに基づいて、送信装置３０に入力するデータレートを決定する。本実施の形態では、放送システム１０は、２Ｋ放送用データと４Ｋ放送用データを、同じ周波数帯を用いたＯＦＤＭ変調波として、送信装置３０から出力する。このため、伝送可能容量を２Ｋ放送用データの伝送と４Ｋ放送用データの伝送とで共用する。このとき、本実施の形態では、４Ｋ放送用データの伝送は、伝送可能容量のうち、２Ｋ放送用データの伝送に用いられた容量の残りの容量である空き容量を用いて行われる。このため、レート調整部２２１は、４Ｋ放送用データに対して行われる一次変調の変調パラメータ値のみならず、２Ｋ放送用データに対して行われる一次変調の変調パラメータ値に基づいて、４Ｋ放送用データについてのデータレートを決定する。そして、レート調整部２２１は、決定したデータレートで４Ｋ再多重部２２０から放送データを出力するよう、ヌル（Ｎｕｌｌ）データが格納されたパケットであるヌル（Ｎｕｌｌ）パケットを、レート調整部２２１に入力されるデータに対して挿入する。すなわち、レート調整部２２１は、変調パラメータに基づいて特定される所定のデータレートで、データを出力する。
【００２９】
タイミングパケット挿入部２２２は、タイミングパケット（遅延制御パケットとも称される）を生成し、レート調整部２２１から出力されたデータ列に、生成したタイミングパケットを挿入する。タイミングパケットは、２Ｋ放送用のデータを伝送する回線と４Ｋ放送用のデータを伝送する回線の伝送の遅延時間の差を補償するための制御情報を含むパケットである。換言すると、タイミングパケットは、再多重装置２０と送信装置３０の間のマイクロ波回線４０ａの伝送遅延と再多重装置２０と送信装置３０の間のＩＰネットワーク４０ｂの伝送遅延の差を補償するための制御情報を含むパケットである。制御情報は、タイミングパケット挿入部２２２により送信装置３０毎に生成される。
【００３０】
タイミングパケット挿入部２２２は、ＯＦＤＭフレームの先頭パケットのタイミングに対応するタイミングで、タイミングパケットを挿入する。すなわち、タイミングパケット挿入部２２２は、先頭パケットの位置に対応する位置に、タイミングパケットを挿入する。具体的には、タイミングパケット挿入部２２２は、先頭パケットと対応する、４Ｋ放送データのパケットの直前に、タイミングパケットを挿入する。このとき、タイミングパケット挿入部２２２は、先頭パケットと対応する４Ｋ放送データのパケットの直前のパケット（先頭パケットと対応する４Ｋ放送データのパケットの１つ前のパケット）を、タイミングパケットに置き換える。したがって、タイミングパケットに置換されるパケットは喪失される。このため、レート調整部２２１は、置換される位置のパケットをＮｕｌｌパケットとしておく。
【００３１】
ここで、タイミングパケットに格納される制御情報は、後述する送信装置３０の４Ｋ遅延補正部３１０が遅延補償のために後段の変調処理の開始を遅延させる際の待機時間（遅延時間）の指標値を含む。より詳細には、制御情報は、送信装置３０においてタイミングパケットパケットが受信された時点からタイミングパケットに続くパケットに対する変調処理を開始するまでの待機時間の指標値を含む。タイミングパケット挿入部２２２は、制御情報として指定するこの指標値を、２Ｋ伝送路遅延情報と、４Ｋ伝送路遅延情報と、ＯＦＤＭフレームの周期とに基づいて特定する。２Ｋ伝送路遅延情報は、再多重装置２０と送信装置３０の間の伝送に用いられるマイクロ波回線４０ａの送信装置３０毎の遅延時間である。これは、予め測定された固定の遅延時間である。また、４Ｋ伝送遅延情報は、再多重装置２０と送信装置３０の間の伝送に用いられるＩＰネットワーク４０ｂの送信装置３０毎の遅延時間である。これは、予め測定された結果に基づいて設定された時間である。上述の通り、ＩＰネットワーク４０ｂの遅延時間は、変動する。このため、４Ｋ伝送遅延情報として、例えば、測定結果として得られた最小遅延時間が設定されてもよいし、平均遅延時間が設定されてもよい。
【００３２】
上述の通り、制御情報は、送信装置３０毎に生成される。ここで、ある送信装置３０に対する制御情報の生成について説明する。ここでは、その送信装置３０を送信装置Ａと称すこととする。送信装置Ａについての４Ｋ伝送路遅延情報が示す遅延時間が５０ミリ秒であり、送信装置Ａについての２Ｋ伝送路遅延情報が示す遅延時間が３００ミリ秒であるとする。また、ＯＦＤＭフレームの周期が２３１．３３６ミリ秒であるとする。この場合、送信装置Ａでは、２Ｋ放送データが、４Ｋ放送データに比べて、２５０ミリ秒遅れて受信されることとなる。この２５０ミリ秒という遅延時間の差は、ＯＦＤＭフレームの１周期に相当する時間以上かつ２周期に相当する時間未満である。この場合、４Ｋ放送データのタイミングパケットを送信装置Ａが受信してから、１周期分の時間を待った上で最初に受信した２Ｋ放送データの先頭パケットが、当該タイミングパケットの直後のパケットと時間的に同期しているパケットとなる。したがって、この場合、タイミングパケットの直後のパケットが、送信装置Ａにおいてどのタイミングで受信された先頭パケットに対応するかを送信装置Ａが特定できるように、タイミングパケット挿入部２２２は、送信装置Ａに対する指標値を例えば１として、送信装置Ａに送信する。このように、タイミングパケット挿入部２２２は、送信装置Ａに対する２つの伝送路の遅延時間の差がＯＦＤＭフレームのＮ（Ｎは整数）周期に相当する時間以上かつＮ＋１周期に相当する時間未満である場合、送信装置Ａに対する指標値として、Ｎを設定する。なお、本実施の形態では、指標値として、周期を設定しているが、具体的な時間を設定してもよい。すなわち、タイミングパケット挿入部２２２は、送信装置Ａに対する２つの伝送路の遅延時間の差の値を指標値として設定してもよい。この場合、タイミングパケット挿入部２２２は、ＯＦＤＭフレームの周期を用いずに、指標値を特定してもよい。タイミングパケット挿入部２２２は、送信装置３０毎に、上述のようにして、指標値を決定する。
【００３３】
ところで、上述した通り、ＩＰネットワーク４０ｂの遅延時間は変動する。このため、設定された４Ｋ伝送路遅延情報に基づいて決定された指標値に基づいて遅延補償を行った場合、送信装置３０は、誤って、１フレーム分ずれたタイミングで４Ｋ放送データの変調処理を行ってしまう恐れがある。よって、指標値以外に参照される値が存在することが好ましい。このため、本実施の形態では、タイミングパケット挿入部２２２は、制御情報として、ＯＦＤＭフレームの周期毎に、２Ｋ再多重部２１０により多重された所定のパラメータのパラメータ値を用いる。すなわち、本実施の形態では、２Ｋ再多重部２１０は、指標値と、パラメータ値とを含む制御情報を含む遅延制御パケットを生成する。制御情報として用いられる所定のパラメータは、具体的には、上述したＴＭＣＣ＿ｓｙｎｃｈｒｏｎｉｚａｔｉｏｎ＿ｗｏｒｄ及びｃｏｎｔｉｎｕｉｔｙ＿ｃｏｕｎｔｅｒである。これらのパラメータ値は、フレーム周期毎に変動する値であるため、フレームを識別する情報として用いることができる。したがって、送信装置３０において、４Ｋ放送データのタイミングパケットに含まれるパラメータ値と、２Ｋ放送データのＩＩＰパケットのパラメータ値とを比較することにより、送信装置３０において、２Ｋ放送データのパケットと４Ｋ放送データのパケットの時間的な対応をより正確に特定できる。なお、指標値とは異なり、制御情報として設定されるパラメータ値には、各送信装置３０に共通の値が設定される。
【００３４】
次に、パケット出力部２３０について説明する。パケット出力部２３０は、４Ｋ再多重部２２０から出力されたデータを、ＩＰネットワーク４０ｂで伝送するための適切な形式のデータに変換し、変換されたデータをＩＰネットワーク４０ｂを介して送信装置３０に出力する。具体的には、例えば、パケット出力部２３０は、４Ｋ再多重部２２０から出力されたデータに対して、ＭＡＣ（Media Access Control）フレーミング処理、ＩＰ（Internet Protocol）フレーミング処理、及びＵＤＰ（User Datagram Protocol）フレーミング処理を行う。
【００３５】
次に、送信装置３０の変調部３００について説明する。図３Ａ〜３Ｃは、変調部３００の構成の一例を示すブロック図である。図３Ａ〜３Ｃに示すように、変調部３００は、ＳＦＮ遅延補正部３０１、外符号処理部３０２、階層分割部３０３、エネルギー拡散部３０４ａ、ｂ、２Ｋ遅延補正部３０５ａ、ｂ、バイトインターリーブ処理部３０６ａ、ｂ、畳込み符号化処理部３０７ａ、ｂ、ビットインターリーブ処理部３０８ａ、ｂ、マッピング処理部３０９ａ、ｂ、４Ｋ遅延補正部３１０、ＦＥＣブロック構成部３１１、エネルギー拡散部３１２、ＢＣＨ符号化処理部３１３、ＬＤＰＣ符号化処理部３１４、ビットインターリーブ処理部３１５、マッピング処理部３１６、階層合成部３１７、時間インターリーブ処理部３１８、周波数インターリーブ処理部３１９、ＯＦＤＭフレーム構成部３２０、ＩＦＦＴ処理部３２１ａ、ｂ、ガードインターバル付加部３２２ａ、ｂ、直交変調処理部３２３ａ、ｂを含む。これらの構成要素は、再多重装置２０から受信した処理クロック（ＣＬＫ）に従って、処理を行う。以下、変調部３００の各構成要素について説明する。なお、図３Ａ〜３Ｃは、階層伝送が行われる場合の変調部３００の構成を示しており、マイクロ波回線４０ａを用いた２Ｋ放送データの伝送では、より詳細には、２階層のデータが伝送されているものとする。
【００３６】
送信装置３０から再多重装置２０へとマイクロ波回線４０ａを介して伝送された２Ｋ放送データ及びフレーム同期信号（Ｆｓｙｎｃ）と、送信装置３０から再多重装置２０へとＩＰネットワーク４０ｂを介して伝送された４Ｋ放送データは、ＳＦＮ遅延補正部３０１に入力される。
【００３７】
ＳＦＮ遅延補正部３０１は、各送信装置３０間の伝送遅延の差を補償するための補正処理を行う。具体的には、ＳＦＮ遅延補正部３０１は、所定の待機時間だけ入力されたデータを一時的に保持し、その後、後段の処理ブロックにデータを出力する。すなわち、ＳＦＮ遅延補正部３０１は、後続の処理の開始を所定の待機時間だけ遅延させる処理を行う。なお、この待機時間は、例えば、再多重装置２０から各送信装置３０への伝送における送信装置３０毎の伝送遅延時間のうちの最大の伝送遅延時間に基づいて予め設定されている。
【００３８】
ＳＦＮ遅延補正部３０１により遅延補正が行われた２Ｋ放送データは、外符号処理部３０２と、４Ｋ遅延補正部３１０とに入力される。また、ＳＦＮ遅延補正部３０１により遅延補正が行われた４Ｋ放送データは、４Ｋ遅延補正部３１０に入力される。
【００３９】
外符号処理部３０２には、上述した２つの階層のデータが入力される。そして、外符号処理部３０２は、入力されたデータに、所定の検査用の符号を付す処理を施す。本例では、外符号処理部３０２は、入力されたデータに、リードソロモン符号（ＲＳ（２０４，１８８））を付す処理を施す。そして、外符号処理部３０２は、検査用の符号が付されたデータを階層分割部３０３に出力する。
【００４０】
階層分割部３０３は、２つの階層のデータを分割し、一方のデータをエネルギー拡散部３０４ａに出力し、他方のデータをエネルギー拡散部３０４ｂに出力する。
【００４１】
エネルギー拡散部３０４ａは、階層分割部３０３から出力されたデータに所定のエネルギー拡散処理を施し、処理結果を２Ｋ遅延補正部３０５ａに出力する。同様に、エネルギー拡散部３０４ｂは、階層分割部３０３から出力されたデータに所定のエネルギー拡散処理を施し、処理結果を２Ｋ遅延補正部３０５ｂに出力する。
【００４２】
２Ｋ遅延補正部３０５ａ、ｂは、エネルギー拡散部３０４ａからマッピング処理部３０９ａまでの処理時間と、エネルギー拡散部３０４ｂからマッピング処理部３０９ｂまでの処理時間の差を補償するための遅延補正を行う。すなわち、２Ｋ遅延補正部３０５ａ、ｂは、後続の処理の終了タイミングがそろうように、所定の待機時間だけ後続の処理の開始を遅延させる処理を行う。
【００４３】
２Ｋ遅延補正部３０５ａ、ｂの処理の後、バイトインターリーブ処理部３０６ａ、ｂの処理が行われる。バイトインターリーブ処理部３０６ａ、ｂは、バイト単位での並び替えを行うバイトインターリーブの処理を行う。なお、インターリーブの深さは、例えば、１２バイトである。
【００４４】
畳込み符号化処理部３０７ａ、ｂは、バイトインターリーブ処理部３０６ａ、ｂによってそれぞれ畳込みバイトインターリーブの処理が施されたビットストリームに、所定の畳込み符号化処理をそれぞれ施す。具体的には、畳込み符号化処理部ａ、ｂは、当該ビットストリームに、例えば、拘束長ｋ＝７、符号化率１／２の原符号をマザーコードとし、階層ごとにそれぞれ設定された符号化率で、パンクチャード畳込み符号の符号化処理を施す。
【００４５】
ビットインターリーブ処理部３０８ａ、ｂは、畳込み符号化処理部３０７ａ、ｂにより符号化処理が施されたビットストリームに、後段のマッピング処理部３０９ａ、ｂでなされるマッピングに応じたビットインターリーブの処理を施す。
【００４６】
マッピング処理部３０９ａ、ｂは、ビットインターリーブ処理部３０８ａ、ｂによってビットインターリーブの処理が施されたビットストリームに、マッピング処理を行う。具体的には、マッピング処理部３０９ａは、例えば、ビットインターリーブ処理部３０８ａがビットインターリーブの処理を施したビットストリームに、ＱＰＳＫ（Quadrature Phase shift Keying）のマッピング処理を施す。また、マッピング処理部３０９ｂは、例えば、ビットインターリーブ処理部３０８ｂがビットインターリーブの処理を施したビットストリームに、６４ＱＡＭ（Quadrature Amplitude Modulation）等のマッピング処理を施す。そして、マッピング処理部３０９ａ、ｂは、ビットストリームがマッピングされた信号を階層合成部３１７に出力する。
【００４７】
４Ｋ遅延補正部３１０は、再多重装置２０により挿入されたタイミングパケットに基づいて、再多重装置２０から送信装置３０への伝送におけるマイクロ波回線４０ａとＩＰネットワーク４０ｂの伝送遅延の差を補償するための補正処理を行う。具体的には、４Ｋ遅延補正部３１０は、タイミングパケットに含まれる制御情報に基づいて、タイミングパケットに続くパケットに対する後続の処理の開始タイミングを調整する。本実施の形態では、４Ｋ遅延補正部３１０は、以下で述べるように、制御情報に含まれる指標値とパラメータ値とを参照して、後続の処理を開始するタイミングを調整するが、パラメータ値を参照せずに、後続の処理を開始するタイミングを調整してもよい。この場合、制御情報はパラメータ値を含まなくてもよい。また、４Ｋ遅延補正部３１０は、ＴＭＣＣ＿ｓｙｎｃｈｒｏｎｉｚａｔｉｏｎ＿ｗｏｒｄとｃｏｎｔｉｎｕｉｔｙ＿ｃｏｕｎｔｅｒのうち、いずれか一方のパラメータ値のみを参照して、後続の処理を開始するタイミングを調整してもよい。
【００４８】
４Ｋ遅延補正部３１０は、タイミングパケットが受信されると（すなわち、４Ｋ遅延補正部３１０にタイミングパケットが入力されると）、指標値を参照する。上述の通り、この指標値は、マイクロ波回線４０ａとＩＰネットワーク４０ｂの遅延時間の差がどのくらいあるかを示す情報である。例えば、この指標値の値がＮ（周期）である場合、４Ｋ遅延補正部３１０は、送信装置３０におけるマイクロ波回線４０ａとＩＰネットワーク４０ｂの遅延時間の差が、ＯＦＤＭフレームのＮ周期に相当する時間以上かつＮ＋１周期に相当する時間未満であることを検知することができる。すなわち、タイミングパケットが４Ｋ遅延補正部３１０に入力されてから、Ｎ周期分の時間を待った上で最初に受信した２Ｋ放送データのフレームの先頭パケットが、当該タイミングパケットの直後のパケットと時間的に同期しているパケットであることを検知することができる。ここで、２Ｋ放送データのフレームの先頭パケットは、フレーム同期信号（Ｆｓｙｎｃ）を４Ｋ遅延補正部３１０が監視することにより特定される。なお、４Ｋ遅延補正部３１０は、フレーム同期信号（Ｆｓｙｎｃ）を監視するのではなく、２Ｋ放送データに含まれるＩＩＰパケットを参照することにより、２Ｋ放送データにおけるフレームの先頭パケットを特定してもよい。ＩＩＰパケットには、ＩＩＰパケットのどれだけ後ろに先頭パケットが存在するかを示す情報が含まれているため、この情報を参照することにより、先頭パケットを特定できるからである。この場合、４Ｋ遅延補正部３１０は、フレーム同期信号（Ｆｓｙｎｃ）を監視しなくてもよい。
【００４９】
４Ｋ遅延補正部３１０は、指標値に基づいて、タイミングパケットの直後のパケットと時間的に同期している２Ｋ放送データのパケットを特定すると、その特定に誤りがないかを検証する。具体的には、４Ｋ遅延補正部３１０は、タイミングパケットに含まれるパラメータ値（ＴＭＣＣ＿ｓｙｎｃｈｒｏｎｉｚａｔｉｏｎ＿ｗｏｒｄ及びｃｏｎｔｉｎｕｉｔｙ＿ｃｏｕｎｔｅｒ）と、特定されたパケットに対応するＩＩＰパケットに格納されているこれらのパラメータ値とを比較して、両者が一致しているか否かを判定する。両者が一致している場合、４Ｋ遅延補正部３１０は、指標値に基づく特定に誤りがないと判定する。これに対し、両者が一致しない場合、４Ｋ遅延補正部３１０は、指標値に基づく特定に誤りがあると判定する。この場合、４Ｋ遅延補正部３１０は、例えば、指標値に基づいて特定された先頭パケットの次の先頭パケットをタイミングパケットの直後のパケットと時間的に同期している２Ｋ放送データのパケットである特定する。
【００５０】
４Ｋ遅延補正部３１０は、特定に誤りがないことが検証されると、特定された先頭パケットが入力される時点まで、タイミングパケットの後続のパケットを一時的に保持し、その後、後段の処理ブロックにデータを出力する。換言すると、４Ｋ遅延補正部３１０は、タイミングパケットの後続のパケット一時的に保持し、その後、４Ｋ遅延補正部３１０の処理に後続する処理を開始させる。このように、４Ｋ遅延補正部３１０は、後続の処理の開始を、遅延させる処理を行う。
【００５１】
なお、４Ｋ遅延補正部３１０は、２Ｋ放送データに対する変調部３００の処理時間と、４Ｋ放送データに対する変調部３００の処理時間との差を補償するための遅延補正を行ってもよい。すなわち、４Ｋ遅延補正部３１０は、後続の処理の終了タイミングがそろうように、所定の待機時間だけ、後続の処理の開始をさらに遅延させてもよい。
【００５２】
４Ｋ遅延補正部３１０の処理の後、ＦＥＣブロック構成部３１１の処理が行われる。ＦＥＣブロック構成部３１１は、入力されたパケットからＦＥＣ（Forward Error Correction）ブロックを生成する。すなわち、ＦＥＣブロック構成部３１１は、入力されたビット列を、誤り訂正符号化を行うためのフォーマットに並べてエネルギー拡散部３１２に出力する。
【００５３】
エネルギー拡散部３１２は、ＦＥＣブロック構成部３１１から出力されたデータに所定のエネルギー拡散処理を施し、処理結果をＢＣＨ符号化処理部３１３に出力する。
【００５４】
ＢＣＨ符号化処理部３１３は、エネルギー拡散部３１２から出力されたビット列に、誤り訂正外符号であるＢＣＨ（Bose-Chaudhuri-Hocquenghem）符号化パリティを付加して、ＬＤＰＣ符号化処理部３１４に出力する。
【００５５】
ＬＤＰＣ符号化処理部３１４は、ＢＣＨ符号化処理部３１３から出力されたビット列に、誤り訂正内符号であるＬＤＰＣ（Low-Density Parity-Check）符号化パリティを付加して、ビットインターリーブ処理部３１５に出力する。
【００５６】
ビットインターリーブ処理部３１５は、ＬＤＰＣ符号化処理部３１４による処理が施されたビットストリームに、後段のマッピング処理部３１６でなされるマッピングに応じたビットインターリーブの処理を施す。
【００５７】
マッピング処理部３１６は、ビットインターリーブ処理部３１５によってビットインターリーブの処理が施されたビットストリームに、マッピング処理を行う。具体的には、マッピング処理部３１６は、例えば、ビットインターリーブ処理部３１５がビットインターリーブの処理を施したビットストリームに、４０９６ＱＡＭ、１０２４ＱＡＭ、又は２５６ＱＡＭ等のマッピング処理を施す。そして、マッピング処理部３１６は、ビットストリームがマッピングされた信号を階層合成部３１７に出力する。
【００５８】
階層合成部３１７は、予め指定されたパラメータで、マッピング処理部３０９ａ、３０９ｂ、３１６がそれぞれ出力した信号を合成してデータセグメントに挿入するとともに、速度変換を行う階層合成処理を行う。
【００５９】
時間インターリーブ処理部３１８は、変調（マッピング処理）後のシンボルデータを時間的に分散させ、耐フェージング性能を改善させるために、変調シンボル単位（Ｉ，Ｑ軸単位）で、階層合成処理が施された信号に所定の時間インターリーブ処理を施す。
【００６０】
周波数インターリーブ処理部３１９は、時間に応じて、セグメント内でキャリア（搬送波）の周波数を変更（ローテーション）させたり、各セグメント間で使用する周波数帯を交換したりする周波数インターリーブの処理を行う。
【００６１】
ＯＦＤＭフレーム構成部３２０には、周波数インターリーブ処理部３１９によって周波数インターリーブの処理が施された信号と、パイロット信号と、ＴＭＣＣ信号と、ＡＣ（Auxiliary Channel）信号とが入力される。なお、パイロット信号は、例えば、連続キャリアである。また、ＴＭＣＣ信号は、再多重装置２０から受信したＴＭＣＣ情報に基づいて生成される信号である。ＡＣ信号は、例えば、放送に関する付加情報を伝送するための拡張用信号である。
【００６２】
ＯＦＤＭフレーム構成部３２０は、入力された各信号に基づいてＯＦＤＭフレームを構成する。具体的には、ＯＦＤＭフレーム構成部３２０は、例えば、ＯＦＤＭの各キャリアにおける各シンボルに、各信号の値を設定する。図３Ｃに示した例では、ＯＦＤＭフレーム構成部３２０は、例えば、水平偏波用のＯＦＤＭフレームと、垂直偏波用のＯＦＤＭフレームとを構成する。そして、ＯＦＤＭフレーム構成部３２０は、例えば、水平偏波用のＯＦＤＭフレームをＩＦＦＴ処理部３２１ａに出力する。また、ＯＦＤＭフレーム構成部３２０は、例えば、垂直偏波用のＯＦＤＭフレームをＩＦＦＴ処理部３２１ｂに出力する。
【００６３】
ＩＦＦＴ処理部３２１ａ、ｂは、入力された各ＯＦＤＭフレームにそれぞれＩＦＦＴ（Inverse Fast Fourier Transform）の処理を施し、周波数領域の信号を時間領域の信号に変換する。そして、ＩＦＦＴ処理部３２１ａ、ｂは、変換後の時間領域の信号をガードインターバル付加部３２２ａ、ｂにそれぞれ出力する。
【００６４】
ガードインターバル付加部３２２ａ、ｂは、入力された時間領域の信号に、当該時間領域の信号における有効シンボルの前に所定の時間分のデータを付加するガードインターバルの処理を施す。
【００６５】
直交変調処理部３２３ａ、ｂは、ガードインターバル付加部３２２ａ、ｂが出力した時間領域の信号に、所定の直交変調処理を施す。具体的には、直交変調処理部３２３ａは、例えば、ガードインターバル付加部３２２ａが出力した時間領域の信号に所定の直交変調処理を施して、所定の送信周波数の第１のＯＦＤＭ信号に変換する。また、直交変調処理部３２３ｂは、例えば、ガードインターバル付加部３２２ｂが出力した時間領域の信号に所定の直交変調処理を施して、所定の送信周波数の第２のＯＦＤＭ信号に変換する。第１のＯＦＤＭ信号は、送信装置３０が備える水平偏波用の第１のアンテナ（不図示）に出力され、第１のアンテナによって電磁波に変換されて水平偏波で放射される。また、第２のＯＦＤＭ信号は、送信装置３０が備える垂直偏波用の第２のアンテナ（不図示）に出力され、第２のアンテナによって電磁波に変換されて垂直偏波で放射される。
【００６６】
なお、図３Ｃに示した例では、ＭＩＭＯ（Multiple-Input and Multiple-Output）による送信を行う場合の変調部３００の構成の一例を示したが、ＳＩＳＯ（Single-Input and Single-Output）等による送信が行われてもよいことは言うまでもない。
【００６７】
以上、実施の形態１について説明した。本実施の形態によれば、再多重装置２０により、２Ｋ放送データと４Ｋ放送データとを同期させるためのタイミングパケットが４Ｋ放送データに挿入される。このため、２Ｋ放送データと４Ｋ放送データとを放送する場合の出力の同期を実現することができる。
【００６８】
＜実施の形態２＞
次に、実施の形態２について説明する。実施の形態２は、実施の形態１の特徴的な要素から構成される実施の形態である。図４は、実施の形態２にかかる放送システム１の構成を示すブロック図である。図４に示すように、放送システム１は、再多重装置２と、送信装置３とを含む。なお、図４に示した例では、１つの送信装置３が示されているが、放送システム１は、複数の送信装置３を備えていてもよい。
【００６９】
再多重装置２は、第１の再多重部２ａと、第２の再多重部２ｂとを有する。
第１の再多重部２ａは、第１の解像度の放送データをＯＦＤＭ変調波として送信装置３から出力するために、第１の再多重部２ａに入力された第１の解像度の放送データについて再多重処理を行う。そして、第１の再多重部２ａは、当該再多重処理により生成された第１の伝送データを第１の回線４ａを介して送信装置３に出力する。なお、第１の回線４ａは、例えばマイクロ波回線であるが、これに限られず、他の任意の回線でもよい。
【００７０】
また、第２の再多重部２ｂは、第２の解像度の放送データを第１の解像度の放送データとともにＯＦＤＭ変調波として送信装置３から出力するために、第２の再多重部２ｂに入力された第２の解像度の放送データについて再多重処理を行う。そして、第２の再多重部２ｂは、当該再多重処理により生成された第２の伝送データを第２の回線４ｂを介して送信装置３に出力する。なお、第２の回線４ｂは、例えば、ＩＰネットワーク４０ｂであるが、これに限られず、第１の回線４ａと異なる他の任意の回線でもよい。
【００７１】
第２の再多重部２ｂは、第１の再多重部２ａで設定された、ＯＦＤＭフレームの先頭パケットのタイミングに対応するタイミングで、第１の回線４ａと第２の回線４ｂの遅延時間の差を補償するための制御情報を含むパケットである遅延制御パケットを挿入する。その際、第２の再多重部２ｂは、送信装置３において遅延制御パケットが受信された時点から遅延制御パケットに続くパケットに対する変調処理を開始するまでの待機時間の指標値を、上述の制御情報として生成する。
【００７２】
送信装置３は、再多重装置２から受信したデータをＯＦＤＭ変調波として出力する装置であり、遅延補正部３ａと、変調処理部３ｂとを有する。
【００７３】
遅延補正部３ａは、再多重装置２の第２の再多重部２ｂが生成した遅延制御パケットに含まれる制御情報に基づいて、当該遅延制御パケットに続くパケットに対する変調処理を開始するタイミングを調整する。また、変調処理部３ｂは、第１の解像度の放送データと第２の解像度の放送データとを変調して、ＯＦＤＭ変調波として出力する。
【００７４】
このような構成によれば、再多重装置２の第２の再多重部２ｂにより、第１の解像度の放送データと第２の解像度の放送データとを同期させるための遅延制御パケットが生成される。そして、送信装置３の変調処理部３ｂは、遅延制御パケットに基づいて遅延補正部３ａにより調整されたタイミングで、遅延補正部３ａの処理に続く変調処理を行う。このため、第１の解像度の放送データと第２の解像度の放送データとを放送する場合の出力の同期を実現することができる。
【００７５】
以上、各実施の形態で説明した処理は、例えば、プログラム制御に従って処理を実行するＣＰＵ（Central Processing Unit）又はＦＰＧＡ（Field Programmable Gate Array）などのプロセッサが搭載されたコンピュータによって実現されてもよい。すなわち、再多重装置２、２０、送信装置３、３０は、コンピュータとしての機能を備えていてもよい。図５は、実施の形態で説明した処理を行うコンピュータ５０の構成の一例を示すブロック図である。図５に示すように、コンピュータ５０は、送受信回路５１、メモリ５２、及びプロセッサ５３を含む。
【００７６】
送受信回路５１は、他の装置とデータを送受信するための送信回路と受信回路である。メモリ５２は、例えば、揮発性メモリ及び不揮発性メモリの組み合わせによって構成される。メモリ５２は、プロセッサ５３により実行される、１以上の命令を含むソフトウェア（コンピュータプログラム）を格納するために使用される。プロセッサ５３は、メモリ５２からソフトウェア（コンピュータプログラム）を読み出して実行することで、処理を行う。
【００７７】
なお、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７８】
なお、本発明は上記実施の形態に限られたものではなく、趣旨を逸脱しない範囲で適宜変更することが可能である。
【符号の説明】
【００７９】
１、１０    放送システム
２、２０    再多重装置
２ａ    第１の再多重部
２ｂ    第２の再多重部
３、３０    送信装置
３ａ    遅延補正部
３ｂ    変調処理部
４ａ    第１の回線
４ｂ    第２の回線
４０ａ    マイクロ波回線
４０ｂ    ＩＰネットワーク
５０    コンピュータ
５１    送受信回路
５２    メモリ
５３    プロセッサ
２１０    ２Ｋ再多重部
２２０    ４Ｋ再多重部
２２１    レート調整部
２２２    タイミングパケット挿入部
２３０    パケット出力部
３００    変調部
３０１    ＳＦＮ遅延補正部
３０２    外符号処理部
３０３    階層分割部
３０４ａ、ｂ、３１２    エネルギー拡散部
３０５ａ、ｂ    ２Ｋ遅延補正部
３０６ａ、ｂ    バイトインターリーブ処理部
３０７ａ、ｂ    畳込み符号化処理部
３０８ａ、ｂ、３１５    ビットインターリーブ処理部
３０９ａ、ｂ、３１６    マッピング処理部
３１０    ４Ｋ遅延補正部
３１１    ＦＥＣブロック構成部
３１３    ＢＣＨ符号化処理部
３１４    ＬＤＰＣ符号化処理部
３１７    階層合成部
３１８    時間インターリーブ処理部
３１９    周波数インターリーブ処理部
３２０    ＯＦＤＭフレーム構成部
３２１ａ、ｂ    ＩＦＦＴ処理部
３２２ａ、ｂ    ガードインターバル付加部
３２３ａ、ｂ    直交変調処理部
【要約】
【課題】第１の解像度の放送データと第２の解像度の放送データとを放送する場合の出力の同期を実現することができる再多重装置、放送システム、再多重方法、及びプログラムを提供する。
【解決手段】再多重装置２は、第１の再多重部２ａと第２の再多重部２ｂとを有する。第２の再多重部２ｂは、ＯＦＤＭフレームの先頭パケットのタイミングに対応するタイミングで、第１の回線と第２の回線の遅延時間の差を補償するための制御情報を含むパケットである遅延制御パケットを挿入する。その際、第２の再多重部２ｂは、送信装置３において前記遅延制御パケットが受信された時点から前記遅延制御パケットに続くパケットに対する変調処理を開始するまでの待機時間の指標値を、前記制御情報として生成する。
【選択図】図４【図１】
0006962615.tif 000002
【図２】
0006962615.tif 000003
【図３Ａ】
0006962615.tif 000004
【図３Ｂ】
0006962615.tif 000005
【図３Ｃ】
0006962615.tif 000006
【図４】
0006962615.tif 000007
【図５】
0006962615.tif 000008